(57)【要約】【課題】記憶媒体の不用意な引き抜き操作を原因とするデータの破壊を防止する。【解決手段】本技術の一形態に係る電子機器は、ロック機構と、制御ユニットとを具備する。上記制御ユニットは、第１の検出機構と、第２の検出機構と、駆動機構とを有する。上記第１の検出機構は、接続端子が端子電極に第１の方向へ第１の嵌合長で嵌合する第１の位置において、記憶媒体との電気的導通を検出する。上記第２の検出機構は、上記接続端子が上記端子電極に上記第１の嵌合長よりも大きい第２の嵌合長で嵌合する第２の位置において、上記記憶媒体との機械的接触を検出する。上記駆動機構は、上記第１の検出機構による上記記憶媒体との電気的導通と上記第２の検出機構による上記記憶媒体との機械的接触とを検出したときに、アーム部材をアンロック位置からロック位置へ移動させる。【選択図】図１３
2013200584.tif 000002
【特許請求の範囲】
【請求項１】
外周面に接続端子と係合部とを有する記憶媒体が第１の方向に挿入される挿入口を有する筐体と、
前記挿入口の内部に配置され、前記接続端子と嵌合可能な端子電極と、
前記係合部と係合することで前記第１の方向とは反対側の第２の方向への前記記憶媒体の移動を規制するロック位置と、前記係合部との係合を解除するアンロック位置との間を移動可能なアーム部材を有し、前記挿入口と前記端子電極との間に配置されたロック機構と、
前記接続端子が前記端子電極に前記第１の方向へ第１の嵌合長で嵌合する第１の位置において前記記憶媒体との電気的導通を検出する第１の検出機構と、前記接続端子が前記端子電極に前記第１の嵌合長よりも大きい第２の嵌合長で嵌合する第２の位置において前記記憶媒体との機械的接触を検出する第２の検出機構と、前記第１の検出機構による前記記憶媒体との電気的導通と前記第２の検出機構による前記記憶媒体との機械的接触とを検出したときに前記アーム部材を前記アンロック位置から前記ロック位置へ移動させる駆動機構と、を有する制御ユニットと、
を具備する電子機器。
【請求項２】
請求項１に記載の電子機器であって、
前記第２の検出機構は、
前記挿入口の内部に配置されたスイッチ素子と、
前記挿入口と前記スイッチ素子との間に配置され、前記第１の位置から前記第２の位置への前記記憶媒体の移動に連動して前記スイッチ素子を作動させる作動部材と、を有する
電子機器。
【請求項３】
請求項１に記載の電子機器であって、
前記アーム部材は、前記第１の位置と前記第２の位置との間で前記係合部と係合可能に構成される
電子機器。
【請求項４】
請求項１に記載の電子機器であって、
前記制御ユニットは、前記第１の検出機構を介して前記記憶媒体の種別を判定し、前記種別が対象外である場合には前記アーム部材を前記ロック位置へ移動させないように構成される
電子機器。
【請求項５】
請求項１に記載の電子機器であって、
前記筐体に取り付けられ、前記第２の方向に前記記憶媒体を前記挿入口から排出するための第１のボタンをさらに具備し、
前記制御ユニットは、前記第１のボタンへの入力操作に基づいて、前記アーム部材を前記ロック位置から前記アンロック位置へ移動させる
電子機器。
【請求項６】
請求項１に記載の電子機器であって、
前記筐体に取り付けられ、押圧操作によって前記アーム部材を前記ロック位置から前記アンロック位置へ機械的に移動させる第２のボタンをさらに具備する
電子機器。
【発明の詳細な説明】
【技術分野】
【０００１】
本技術は、記憶媒体の不用意な引き抜き操作を原因とするデータの破壊を防止できる電子機器に関する。
【背景技術】
【０００２】
一般に、記憶媒体ドライブ装置は、電子機器に形成されたスロットの内部に設けられている。そして、記憶媒体がスロットに挿入されたときに記憶媒体の接続端子が記憶媒体ドライブ装置の端子電極に接続されて、電子機器と記憶媒体との間で情報信号の授受が可能な状態とされる。このような記憶媒体ドライブ装置においては、記憶媒体に対する情報信号の書込動作中に記憶媒体がスロットから引き抜かれてしまうと、記憶媒体のメモリ領域が破損して記憶媒体に書き込まれていた情報が消失し、あるいは、それ以後記憶媒体が使用できなくなってしまうおそれがある。
【０００３】
そこで、書込動作中の記憶媒体のスロットからの引き抜きを防止するために、記憶媒体ドライブ装置に記憶媒体が装着された状態においてロック機構によって記憶媒体を記憶媒体ドライブ装置に対してロックするようにしたものが知られている。例えば下記特許文献１には、記憶媒体ドライブ装置に記憶媒体が装着された状態において、電磁アクチュエータの駆動によってロック部材を記憶媒体の係合凹部に係合させてロック状態を確保する構造を備えた電子機器が記載されている。
【先行技術文献】
【特許文献】
【０００４】
【特許文献１】特開２００４−３３４５６２号公報
【発明の概要】
【発明が解決しようとする課題】
【０００５】
しかしながら記憶媒体を機械的に位置決めする構造では、上記ロック部材あるいは係合凹部の形状公差や上記係合凹部に対するロック部材の位置公差の範囲で記憶媒体が電子機器に対して相対移動することが可能である。したがって当該公差の範囲に記憶媒体が電子機器との電気的接続が解除される位置があると、記憶媒体に書き込まれていた情報が消失し、あるいは、それ以後記憶媒体が使用できなくなってしまうおそれがある。
【０００６】
以上のような事情に鑑み、本技術の目的は、記憶媒体の不用意な引き抜き操作を原因とするデータの破壊を防止することができる電子機器を提供することにある。
【課題を解決するための手段】
【０００７】
以上の目的を達成するため、本技術の一形態に係る電子機器は、筐体と、端子電極と、ロック機構と、制御ユニットとを具備する。
上記筐体は、外周面に接続端子と係合部とを有する記憶媒体が第１の方向に挿入される挿入口を有する。
上記端子電極は、上記挿入口の内部に配置され上記接続端子と嵌合可能に構成される。
上記ロック機構は、上記挿入口と上記端子電極との間に配置される。上記ロック機構は、上記係合部と係合することで上記第１の方向とは反対側の第２の方向への上記記憶媒体の移動を規制するロック位置と、上記係合部との係合を解除するアンロック位置との間を移動可能なアーム部材を有する。
上記制御ユニットは、第１の検出機構と、第２の検出機構と、駆動機構とを有する。上記第１の検出機構は、上記接続端子が上記端子電極に上記第１の方向へ第１の嵌合長で嵌合する第１の位置において、上記記憶媒体との電気的導通を検出する。上記第２の検出機構は、上記接続端子が上記端子電極に上記第１の嵌合長よりも大きい第２の嵌合長で嵌合する第２の位置において、上記記憶媒体との機械的接触を検出する。上記駆動機構は、上記第１の検出機構による上記記憶媒体との電気的導通と上記第２の検出機構による上記記憶媒体との機械的接触とを検出したときに、上記アーム部材を上記アンロック位置から上記ロック位置へ移動させる。
【０００８】
上記電子機器においては、記憶媒体との電気的導通の検出と記憶媒体との機械的接触の検出とをそれぞれ異なる位置で行うため、これらの位置間で記憶媒体が相対移動した場合でも、記憶媒体と電子機器との電気的接続状態を維持することができる。
【０００９】
上記第２の検出機構は、スイッチ素子と、作動部材とを有してもよい。上記スイッチ素子は、上記挿入口の内部に配置される。上記作動部材は、上記挿入口と上記スイッチ素子との間に配置され、上記第１の位置から上記第２の位置への上記記憶媒体の移動に連動して上記スイッチ素子を作動させる。これにより第２の位置に挿入された記憶媒体をスイッチ素子により検出することが可能となる。
【００１０】
上記アーム部材は、上記第１の位置と上記第２の位置との間で上記係合部と係合可能に構成されてもよい。この構成により、第１の位置と第２の位置との間において記憶媒体が移動したときでも、接続端子と端子電極との電気的導通状態を安定に維持することができる。
【００１１】
上記制御ユニットは、上記第１の検出機構を介して上記記憶媒体の種別を判定し、上記種別が対象外である場合には上記アーム部材を上記ロック位置へ移動させないように構成されてもよい。対象外の記憶媒体に対するロック動作を回避できるため、アンロック操作を必要とすることなく当該記憶媒体を速やかに排出することができる。
【００１２】
上記電子機器は、上記筐体に取り付けられ、上記第２の方向に上記記憶媒体を上記挿入口から排出するための第１のボタンをさらに具備してもよい。この場合、上記制御ユニットは、上記第１のボタンへの入力操作に基づいて、上記アーム部材を上記ロック位置から上記アンロック位置へ移動させる。
【００１３】
上記電子機器は、第２のボタンをさらに具備してもよい。上記第２のボタンは、上記筐体に取り付けられ、押圧操作によって上記アーム部材を上記ロック位置から上記アンロック位置へ機械的に移動させる。これにより、例えば電源オフ時においても記憶媒体を挿入口から容易に排出することができる。
【発明の効果】
【００１４】
以上のように、本技術によれば、記憶媒体の不用意な引き抜き操作を原因とするデータの破壊を防止することができる。
【図面の簡単な説明】
【００１５】
【図１】本技術の実施形態に係る電子機器の全体構成を示す斜視図である。
【図２】上記電子機器の要部の正面図である。
【図３】上記電子機器に用いられる記憶媒体の全体斜視図である。
【図４】上記電子機器に内蔵されたドライブ装置の概略構成図である。
【図５】上記ドライブ装置の構成の一例を示す平面図である。
【図６】上記ドライブ装置のロック機構及びその周辺構造を示す拡大図であり、アーム部材がアンロック位置に移動したときの様子を示す平面図である。
【図７】上記ドライブ装置のロック機構及びその周辺構造を示す拡大図であり、アーム部材がロック位置に移動したときの様子を示す平面図である。
【図８】図６に示すドライブ装置の側面図である。
【図９】上記記憶媒体に対するアンロック操作の一例を説明するドライブ装置の要部拡大図である。
【図１０】上記ドライブ装置において記憶媒体が挿入されたときの様子を示す斜視図である。
【図１１】上記ドライブ装置において記憶媒体との機械的接触が検出されたときの状態を示す斜視図である。
【図１２】上記ドライブ装置において端子電極に記憶媒体が嵌合したときの様子を模式的に示す側面図であり、（Ａ）は第１の嵌合長で嵌合したときの様子を示し、（Ｂ）は第２の嵌合長で嵌合したときの様子を示す。
【図１３】上記電子機器の操作例と制御例を説明するフロー図である。
【発明を実施するための形態】
【００１６】
以下、本技術に係る実施形態を、図面を参照しながら説明する。
【００１７】
［電子機器の全体構成］
図１は、本技術の実施形態に係る電子機器の全体構成を示す斜視図であり、図２は、電子機器の要部の正面図である。図中、Ｘ軸方向及びＹ軸方向は相互に直交する水平方向を示し、Ｚ軸方向は鉛直方向を示している。
【００１８】
本実施形態の電子機器１は、記憶媒体Ｍが挿入される挿入口１１を有する筐体１０と、筐体１０の内部に設けられたドライブ装置Ｄ（図４参照）とを備え、記憶媒体Ｍに格納されたデータを処理するデータ処理装置として構成される。本実施形態における電子機器１は、例えば、図示しない情報処理装置に接続され、記憶媒体Ｍから読み出したデータを当該情報処理装置へ転送するデータ転送装置として構成される。
【００１９】
筐体１０は、前面部が開口した直方形状のケース本体１０１と、ケース本体１０１の前面部に取り付けられ、挿入口１１が形成されたフロントパネル１０２とを有する。フロントパネル１０２には、挿入口１１の近傍位置に、記憶媒体Ｍの排出時に押圧操作されるアンロックボタン１３（第１のボタン）が配置されている。
【００２０】
挿入口１１は、Ｙ軸方向に長手方向を有するスロットで形成されている。記憶媒体Ｍは、Ｘ軸方向に沿って挿入口１１へ挿入され、あるいは挿入口１１から排出される。挿入口１１からの記憶媒体Ｍの排出操作は、後述するように、アンロックボタン１３の押圧操作後、ユーザによる引き抜き操作で記憶媒体Ｍが挿入口１１から排出される。この際、記憶媒体Ｍの排出操作を容易に行えるように、挿入口１１に挿入された記憶媒体Ｍの後端の一部がフロントパネル１０２から部分的に突出する。
【００２１】
フロントパネル１０２には更に、エマージェンシボタン１４（第２のボタン）と、電子機器１の各種動作状態を表示する表示部１５等が配置されている。エマージェンシボタン１４は、後述するように、電子機器１への電源供給が遮断された状態で挿入口１１から記憶媒体Ｍを排出する際に押圧操作される。表示部１５は、複数のＬＥＤ（Light Emitting Diode）を光源に有し、電子機器１の動作状態（ステータス、ネットワーク接続状況等）に応じて所定の発光パターンで明滅するように構成される。なお電子機器１は、上記情報処理装置から電源が供給されるが、独立した電源ボタンがフロントパネル１０２に別途配置されてもよい。
【００２２】
電子機器１は、図１に示すようにフロントパネル１０２の長手方向をＹ軸方向と平行に設置される場合に限られず、上記長手方向が鉛直方向（Ｚ軸方向）と平行に設置されてもよい。
【００２３】
［記憶媒体］
図３は、記憶媒体Ｍの全体を示す斜視図である。
【００２４】
記憶媒体Ｍは、所定容量（例えば２５６ＧＢ）の半導体メモリを内蔵し、外周面に係合部Ｍ１と接続端子Ｍ２とを有する板状のパッケージメモリとして構成される。記憶媒体Ｍは、例えば放送用素材を格納するリムーバブル記憶メディアとして使用され、図示しない撮影用カメラで撮像された画像データを記憶する。
【００２５】
係合部Ｍ１は、記憶媒体Ｍの両側面の所定位置にそれぞれ形成された凹所あるいは溝で構成される。係合部Ｍ１は、記憶媒体の両側面に形成される例に限られず、一方側の側面にのみ形成されてもよい。
【００２６】
接続端子Ｍ２は、記憶媒体Ｍの挿入側端部（先端部）Ｍａに形成された複数の接続ピンで構成される。接続端子Ｍ２は、記憶媒体Ｍが挿入口１１へ挿入されることで、電子機器１の内部に配置されたドライブ装置Ｄと電気的に接続される。
【００２７】
［ドライブ装置］
次に、ドライブ装置Ｄの詳細について説明する。
【００２８】
図４は本実施形態に係るドライブ装置Ｄの概略構成図である。ドライブ装置Ｄは、端子電極２０と、ロック機構３０と、制御ユニット４０とを有する。
【００２９】
端子電極２０は、筐体１０の内部に配置され、挿入口１１からＸ１方向（第１の方向）に沿って挿入される記憶媒体Ｍの接続端子Ｍ２と嵌合可能に構成される。端子電極２０は、制御ユニット４０のコントローラ４１に電気的に接続されている。
【００３０】
ロック機構３０は、挿入口１１に挿入された記憶媒体Ｍが不用意に引き抜かれることを防止するためのものである。すなわちロック機構３０は、記憶媒体Ｍの接続端子Ｍ２が端子電極２０と接続された状態において、所定のアンロック操作を経ないユーザによる記憶媒体Ｍの挿入口１１からの引き抜き操作を阻止する機能を有する。
【００３１】
ロック機構３０は、コントローラ４１の指令に応じてロック位置とアンロック位置との間を移動可能なアーム部材を有し、ロック位置においてアーム部材が記憶媒体Ｍの係合部Ｍ１に係合し、Ｘ１方向とは反対方向であるＸ２方向に沿った記憶媒体Ｍの移動を規制する。
【００３２】
制御ユニット４０は、コントローラ４１（制御部）と、スイッチ素子２１と、ロック機構３０を駆動する駆動部４２と、ロック位置センサ４３ａと、アンロック位置センサ４３ｂとを有する。コントローラ４１は、アンロックボタン１３、ロック位置センサ４３ａ及びアンロック位置センサ４３ｂの出力に基づいて、駆動部４２を制御する。コントローラ４１は、主として、端子電極２０と記憶媒体Ｍとの電気的導通状態、スイッチ素子２１の開閉状態、アンロックボタン１３の入力操作に基づいて、ロック機構３０による記憶媒体Ｍのロック状態とアンロック状態とを切り替える機能を有する。
【００３３】
次に、図５を参照してドライブ装置Ｄの詳細について説明する。図５はドライブ装置Ｄの構成を示すＺ軸方向から見た平面図である。
【００３４】
ドライブ装置Ｄは、筐体１０の内部に固定される金属製のベースプレート５０と、ベースプレート５０に固定された端子電極２０と、ベースプレート５０に取り付けられたホルダ５１とを有する。ホルダ５１は、挿入口１１と端子電極２０との間を連通する通路５２を内部に有し、この通路５２を介して挿入口１１に挿入された記憶媒体Ｍの接続端子Ｍ２を端子電極２０との接続位置へガイドする。
【００３５】
ホルダ５１の内部空間（通路５２）は、記憶媒体Ｍの幅、厚みよりもやや大きな寸法を有し、通路５２に収容された記憶媒体Ｍの端子電極２０との接続状態を保持する収容部として構成される。ホルダ５１は、記憶媒体Ｍの両側面と対向する一対の側壁部５１ａ，５１ｂを有し、通路５２において記憶媒体Ｍの幅方向（図５においてＹ軸方向）の移動を規制する。端子電極２０は、記憶媒体Ｍの接続端子Ｍ２と対向するようにベースプレート５０に固定され、コントローラ４１（図４）と電気的に接続される回路基板５３の上に搭載されている。
【００３６】
（ロック機構）
ロック機構３０は、挿入口１１と端子電極２０との間に配置される。本実施形態においてロック機構３０は、ベースプレート５０の上に搭載され、ホルダ５１の側壁部５１ａの外側に配置されている。ロック機構３０は、アーム部材３０１と、付勢部材３０２とを有する。
【００３７】
アーム部材３０１は、記憶媒体Ｍの係合部Ｍ１と係合可能なロック位置と、係合部Ｍ１との係合を解除するアンロック位置との間を移動可能に構成される。本実施形態においてアーム部材３０１は、支軸Ａ１（回動軸）に支持され、ロック位置とアンロック位置との間を回動可能に構成される。付勢部材３０２は、アーム部材３０１をロック位置へ付勢する弾性部材で構成され、本実施形態では付勢部材３０２としてトーションバネが用いられる。
【００３８】
（駆動部）
駆動部４２は、アーム部材３０１と係合可能なカム４２１と、カム４２１を図５において反時計方向に回転させるモータ４２３と、モータ４２３を駆動するためのモータ基板４２５とを有する。カム４２１は、支軸Ａ２に支持されたギヤ４２２の一方の面に形成され、ギヤ４２２の回転位置によってアーム部材３０１と係合可能に構成される。
【００３９】
モータ４２３は、ギヤ４２２と噛合するウォームギヤ４２４が取り付けられた回転軸を有する。モータ基板４２５は、モータ４２３とコントローラ４１（図４）とに電気的に接続され、コントローラ４１からの制御信号に基づいてモータ４２３へ出力される駆動信号を生成するための各種回路部品を搭載する。
【００４０】
図６及び図７はロック機構３０及び駆動部４２の詳細を示す拡大図であり、図６はアーム部材３０１がアンロック位置にあるときの様子を示し、図７はアーム部材３０１がロック位置にあるときの様子を示している。また図８は、図７においてＹ軸方向から見た側面図である。
【００４１】
アーム部材３０１は、第１のアーム部３０１ａと、第２のアーム部３０１ｂと、連結部３０１ｃとを有する。連結部３０１ｃは、第１のアーム部３０１ａと第２のアーム部３０１ｂとを連結し、支軸Ａ１に回動自在に取り付けられる。第１のアーム部３０１ａは、支軸Ａ１のまわりに回動することで、ホルダ５１の側壁部５１ａに形成された開口５１ｗを介して通路５２の内側に突出するロック位置と、通路５２の外側に退避するアンロック位置とのいずれかをとり得る。第２のアーム部３０１ｂは、カム４２１と係合可能な位置に延び、図６において反時計方向に回転するカム４２１との係合により連結部３０１ｃを介して第１のアーム部３０１ａを回動させる。
【００４２】
付勢部材３０２は、アーム部材３０１を常時ロック位置へ付勢するように、その一端がベースプレート５０上の適宜の位置に係止され、他端が第１のアーム部３０１ａに係止されている。第１のアーム部３０１ａは、ホルダ５１の側壁部５１ａに形成された開口５１ｗの端部５１ｓに当接することで、通路５２側への突出量が規制される。
【００４３】
ギヤ４２２は、アーム部材３０１の第２のアーム部３０１ｂとベースプレート５０との間に配置されており、支軸Ａ２に回動自在に取り付けられる。ギヤ４２２の一方の面にはカム４２１が一体形成されており、他方の面には、モータ基板４２５の上に搭載されたロック位置センサ４３ａ及びアンロック位置センサ４３ｂを作動させることが可能な作動板４３０がベースプレート５０側に突出するように形成されている。作動板４３０は、ギヤ４２２の半径相当の長さを有し、ギヤ４２２と共に支軸Ａ２のまわりに回動する。
【００４４】
ロック位置センサ４３ａ及びアンロック位置センサ４３ｂは、ギヤ４２２とベースプレート５０との間に配置される。ロック位置センサ４３ａ及びアンロック位置センサ４３ｂは、図７に示すように、ギヤ４２２の作動板４３０と係合可能な位置に作動子Ｓａ，Ｓｂをそれぞれ有し、作動板４３０との係合により機械的に押圧されることで所定の出力を生成するように構成される。
【００４５】
ロック位置センサ４３ａ及びアンロック位置センサ４３ｂは、カム４２１の回転位置を検出するためのもので、ロック位置センサ４３ａは、アーム部材３０１をロック位置に回動させるギヤ４２２の回転位置において、作動板４３０と対向する位置に配置される（図７）。一方、アンロック位置センサ４３ｂは、アーム部材３０１をアンロック位置に回動させるギヤ４２２の回転位置において、作動板４３０と対向する位置に配置される（図６）。
【００４６】
ドライブ装置Ｄはさらに、プッシュプレート１４０を有する。プッシュプレート１４０は、ホルダ５１の側壁部５１ａの外側においてギヤ４２２とベースプレート５０との間に配置され、側壁部５１ａの外面に沿ってＸ軸方向に移動可能に構成される。プッシュプレート１４０の先端部１４１（図６）は、アーム部材３０１の第１のアーム部３０１ａに対向し、後端部はフロントパネル１０２に臨むエマージェンシボタン１４を形成する。
【００４７】
プッシュプレート１４０には、コイルスプリング１４４の一端を係止する第１の係止片１４２が形成され、ベースプレート５０には、コイルスプリング１４４の他端を係止する第２の係止片１４３が形成される。プッシュプレート１４０は、コイルスプリング１４４により、図６に示す待機位置へ付勢されており、通常は、プッシュプレート１４０の先端部１４１とアーム部材３０１とが接触しない位置に退避される（図６，図７）。
【００４８】
一方、プッシュプレート１４０は、所定の操作部材Ｐを用いたエマージェンシボタン１４への押圧操作により、コイルスプリング１４４の付勢力に抗してＸ１方向に沿って移動する。図９は、エマージェンシボタン１４が押圧操作されたときのロック機構３０を示す拡大図である。この場合、プッシュプレート１４０の先端部１４１がロック位置にある第１のアーム部３０１ａをＸ１方向（図７参照）へ押圧し、アーム部材３０１をロック位置からアンロック位置側へ機械的に移動させる。
【００４９】
以上のように、本実施形態の電子機器１は、エマージェンシボタン１４を操作することによっても、記憶媒体Ｍに対するロック状態を解除することが可能に構成されている。エマージェンシボタン１４は通常、不用意に記憶媒体Ｍが排出されることを防止するため、フロントパネル１０２の表面から機器内部側に潜った位置に配置されている。さらに指では操作できないように、ピン等の比較的細い治具を用いて操作されるように構成される。このため、エマージェンシボタン１４は通常時での使用を想定されてはおらず、何らかの理由で機器の制御が不能となり、通常のアンロック操作が有効でないときに使用される。
【００５０】
（制御ユニット）
制御ユニット４０は、第１の検出機構と、第２の検出機構と、駆動機構とを有する。上記第１の検出機構は、接続端子Ｍ２が端子電極２０にＸ１方向へ第１の嵌合長で嵌合する位置（第１の位置）において記憶媒体Ｍとの電気的導通を検出する。上記第２の検出機構は、接続端子Ｍ２が端子電極２０に上記第１の嵌合長よりも大きい第２の嵌合長で嵌合する位置（第２の位置）において記憶媒体Ｍとの機械的接触を検出する。上記駆動機構は、上記第１の検出機構による記憶媒体Ｍとの電気的導通と、上記第２の検出機構による記憶媒体Ｍとの機械的接触とを検出したときに、アーム部材３０１をアンロック位置からロック位置へ移動させる。制御ユニット４０は、アーム部材３０１をロック位置へ移動させた後、記憶媒体Ｍからの情報の読み出し又は記憶媒体Ｍへの情報の書き込み（以下、これらを「データ処理」と総称する。）を実行する。
【００５１】
本実施形態において、上記第１の検出機構は、主として、コントローラ４１により構成される。上記第２の検出機構は、スイッチ素子２１と、作動部材２２と、コントローラ４１とにより構成される。上記駆動機構は、駆動部４２により構成される。
【００５２】
スイッチ素子２１は、図５に示すように、挿入口１１に挿入された記憶媒体Ｍの先端部ＭａとＸ軸方向に対向するように回路基板５３の上に搭載されている。スイッチ素子２１はマイクロスイッチで構成されており、スイッチ素子２１と記憶媒体Ｍの先端部との間に配置された作動部材２２を介してスイッチが開閉されるように構成されている。
【００５３】
作動部材２２は、挿入口１１とスイッチ素子２１との間に配置され、上記第１の位置から上記第２の位置への記憶媒体Ｍの移動に連動してスイッチ素子２１を作動させる。これにより、第２の位置に挿入された記憶媒体Ｍをスイッチ素子２１により検出することができる。
【００５４】
作動部材２２は、ホルダ５１の上壁部内面側に固定されている。作動部材２２は、板バネ材を所定形状に折り曲げて形成され、ホルダ５１に固定される固定端２２ａと、記憶媒体Ｍの先端部Ｍａとの接触により弾性変形可能な自由端２２ｂとを有する。固定端２２ａと自由端２２ｂとの間は、自由端２２ｂがＸ軸方向に弾性変形可能なように２本のアーム部２２ｃを介して接続されている。
【００５５】
図１０及び図１１は、ドライブ装置Ｄの内部構成を示す要部の斜視図である。図においてホルダ５１の上壁部の図示は省略されている。図１２は、端子電極２０に対する接続端子Ｍ２の嵌合長さとスイッチ素子２１との関係を示す模式図であり、（Ａ）はスイッチ素子２１のオフ状態を、（Ｂ）はスイッチ素子２１のオン状態をそれぞれ示している。
【００５６】
作動部材２２は、記憶媒体Ｍの先端部Ｍａとスイッチ素子２１との間に配置される。図１２（Ａ）に示すように作動部材２２は、記憶媒体Ｍの先端部Ｍａと対向する第１の端片２２ｂ１と、スイッチ素子２１の作動子と対向する第２の端片２２ｂ２とを有する。第１の端片２２ｂ１は、挿入口１１から挿入された記憶媒体Ｍの先端部Ｍａに押圧されることで、アーム部２２ｃを介して自由端２２ｂをＸ１軸方向に弾性変形させ、第２の端片２２ｂ２は、Ｘ１軸方向の移動によりスイッチ素子２１を作動させる（図１１，図１２（Ｂ））。
【００５７】
図１２（Ａ）は、記憶媒体Ｍが上記第１の位置にあるときの様子を示す。図１２（Ａ）において接続端子Ｍ２は、端子電極２０に第１の嵌合長Ｆ１で嵌合する。第１の嵌合長Ｆ１において、端子電極２０の電極部２０ａは接続端子Ｍ２と接触し、記憶媒体Ｍはドライブ装置Ｄ（電子機器１）と電気的に接続される。コントローラ４１は、端子電極２０を介して記憶媒体Ｍとの電気的導通を常時監視しており、当該第１の位置において記憶媒体Ｍとの電気的導通を検出する。
【００５８】
第１の嵌合長Ｆ１は、接続端子Ｍ２と電極部２０ａとの接触開始点に設定されてもよいし、接続端子Ｍ２と端子電極２０とが当該接触開始点からさらに所定距離嵌合した位置に設定されてもよい。この第１の位置では、アーム部材３０１はロック位置へは移動せず、したがってデータ処理も実行されない。
【００５９】
図１２（Ｂ）は、記憶媒体Ｍが上記第２の位置にあるときの様子を示す。図１２（Ｂ）において接続端子Ｍ２は、端子電極２０に第２の嵌合長Ｆ２で嵌合する。第２の嵌合長Ｆ２においては、第１の位置と同様に、記憶媒体Ｍがドライブ装置Ｄ（電子機器１）と電気的に接続される。またこの第２の位置においては、記憶媒体Ｍの先端部Ｍａが作動部材２２の自由端２２ｂと接触し押圧する。これにより作動部材２２がＸ１方向へ弾性変形し、その自由端２２ｂとの接触によりスイッチ素子２１がオン動作する。
【００６０】
第２の嵌合長Ｆ２の大きさは、第１の嵌合長Ｆ１よりも大きければその値は特に限定されない。第２の嵌合長Ｆ２は、例えば、スイッチ素子２１のオン動作までのストローク長を考慮に入れて設定することができる。また、第２の嵌合長Ｆ２と第１の嵌合長Ｆ１との差は、例えば、記憶媒体Ｍの係合部Ｍ１に係合するアーム部材３０１の位置公差、すなわちアーム部材３０１との係合により移動規制された状態での記憶媒体ＭのＸ軸方向に沿った微小な移動量を考慮して設定することができる。
【００６１】
本実施形態においてアーム部材３０１は、記憶媒体Ｍの第１の位置（図１２（Ａ））と第２の位置（図１２（Ｂ））との間において係合部Ｍ１と係合可能に構成される。この構成により、不用意な引き抜き操作により記憶媒体Ｍが第２の位置から第１の位置へ移動したときでも、接続端子Ｍ２と端子電極２０との電気的導通状態を安定に維持することができる。
【００６２】
コントローラ４１は、スイッチ素子２１のオン信号を受信することで、端子電極２０に接続された記憶媒体Ｍの存在を検出する。そしてコントローラ４１は、駆動部４２を介してアーム部材３０１をロック位置へ移動させる。これにより記憶媒体Ｍの係合部Ｍ１にアーム部材３０１が係合し、記憶媒体ＭのＸ軸方向に沿った移動が規制される。
【００６３】
コントローラ４１は、記憶媒体Ｍとの電気的導通を検出するに際して、記憶媒体Ｍの種別を判定し、その種別が対象外である場合にはアーム部材３０１をロック位置へ移動させないように構成される。対象外の記憶媒体に対するロック動作を回避できるため、アンロック操作を必要とすることなく当該記憶媒体を速やかに排出することができる。
【００６４】
［電子機器の動作］
次に、電子機器１の典型的な動作について説明する。図１３は、電子機器１に対する操作例と制御ユニット４０（コントローラ４１）の動作例を示すフロー図である。
【００６５】
電子機器１に電源が入力されると、制御ユニット４０は、モータ４２３を駆動し、ギヤ４２２を回転させて、アーム部材３０１を図６に示すアンロック位置へ移動させる（ステップＳＴ１０１，１０２）。電子機器１へ供給される電源は、上位機器である上記情報処理装置から供給されてもよいし、電子機器１に付設された電源コードを介しての商用電源から供給されてもよい。
【００６６】
コントローラ４１は、アンロック位置センサ４３ｂの出力に基づいてアーム部材３０１のアンロック位置を検出する。アンロック位置センサ４３ｂは、ギヤ４２２の作動板４３０による作動子Ｓｂの押し込みを検出してその出力信号をコントローラ４１へ供給する。コントローラ４１は、当該アンロック位置センサ４３ｂの出力に基づいてモータ４２３の駆動を停止する。これによりアーム部材３０１を精度よくアンロック位置へ移動させることができる。
【００６７】
以上のようにして、挿入口１１への記憶媒体Ｍの挿入操作を待ち受ける状態（待ち受け状態）が設定される。この初期動作（イニシャライズ動作）は、アーム部材３０１の初期位置に関係なく常に実行される。これにより電子機器１の使用開始の際、常に適正な待ち受け状態が実現される。
【００６８】
挿入口１１へ記憶媒体Ｍが挿入されると（ステップＳＴ１０３）、図１０に示すように記憶媒体Ｍの接続端子Ｍ２が端子電極２０に嵌合する。そして図１２（Ａ）に示すように、端子電極２０に対する接続端子Ｍ２の嵌合長さが第１の嵌合長Ｆ１に達すると、コントローラ４１により記憶媒体Ｍとの電気的導通が検出される（ステップＳＴ１０４）。
【００６９】
記憶媒体Ｍがさらに挿入されることで、端子電極２０に対する接続端子Ｍ２の嵌合長さが第２の嵌合長Ｆ２に達し、図１１及び図１２（Ｂ）に示すように作動部材２２を介してスイッチ素子２１がオン動作する（ステップＳＴ１０５）。
【００７０】
コントローラ４１は、上記第１の位置における記憶媒体Ｍとの電気的導通と、上記第２の位置における記憶媒体Ｍとスイッチ素子２１の機械的接触とを検出した後、モータ４２３を駆動し、ギヤ４２２を反時計方向に回転させて、アーム部材３０１を図７に示すロック位置へ移動させる（ステップＳＴ１０６）。コントローラ４１は、ロック位置センサ４３ａの出力に基づいてアーム部材３０１のロック位置を検出する。ロック位置センサ４３ａは、ギヤ４２２の作動板４３０による作動子Ｓａの押し込みを検出してその出力信号をコントローラ４１へ供給する。コントローラ４１は、当該ロック位置センサ４３ａの出力に基づいてモータ４２３の駆動を停止する。これにより記憶媒体Ｍに対するロック状態が確立され、Ｘ２方向に沿った記憶媒体Ｍの抜き取り操作が不可能となる。
【００７１】
続いて、コントローラ４１は、記憶媒体Ｍに対してデータ処理を実行する（ステップＳＴ１０７）。データ処理として本実施形態では、端子電極２０を介して記憶媒体Ｍの格納データを読み出し、これを図示しない情報処理装置へ転送し、あるいは図示しない表示装置へ出力して映像を再生する。あるいは、上記情報処理装置から転送される情報を記憶媒体Ｍへ書き込む。
【００７２】
データ処理の完了後、ユーザによるアンロックボタン１３の押圧操作がコントローラ４１により検出されると（ステップＳＴ１０８）、コントローラ４１は、モータ４２３を駆動し、図６に示すようにギヤ４２２を支軸Ａ２のまわりに反時計方向に所定角度回転させる。これによりアーム部材３０１は、アンロック位置へ移動させられる（ステップＳＴ１０９）。
【００７３】
このとき図６に示すように、ギヤ４２２上のカム４２１はアーム部材３０１（第２のアーム部３０１ｂ）と係合状態にある。このためアーム部材３０１（第１のアーム部３０１ａ）は、付勢部材３０２の付勢力に抗して、側壁部５１ａの外側に退避したアンロック位置へ移動させられる。これにより、記憶媒体Ｍに対するロック状態が解除され、Ｘ２方向に沿った記憶媒体Ｍの抜き取り操作が可能となる（ステップＳＴ１１０）。
【００７４】
その後、再び記憶媒体Ｍが挿入口１１へ挿入されると、上述の動作が実行される。また、電子機器１への電源投入が遮断されると（ステップＳＴ１１１）、アーム部材３０１の位置に関係なくドライブ装置Ｄの駆動が停止される。
【００７５】
以上のように本実施形態によれば、記憶媒体Ｍとの電気的導通の検出と記憶媒体Ｍの存在の機械的検出とをそれぞれ異なる位置で行っているため、これらの位置間で記憶媒体が相対移動した場合でも、記憶媒体Ｍと電子機器１との電気的接続状態を維持することができる。これにより不用意な引き抜き操作を原因とするデータの破壊を防止することが可能となる。
【００７６】
さらに本実施形態によれば、モータ４２３に対する一方向への回転駆動のみでアーム部材３０１をロック位置とアンロック位置との間で移動させることができるので、構成及び制御の簡素化を実現することができる。
【００７７】
以上、本技術の実施形態について説明したが、本技術は上述の実施形態にのみ限定されるものではなく、本技術の要旨を逸脱しない範囲内において種々変更を加え得ることは勿論である。
【００７８】
例えば以上の実施形態では、アーム部材をロック位置からアンロック位置へ移動させるためにカムを用いたが、これに限られず、例えばソレノイドの駆動により直動するプランジャやボールネジユニット等を用いてアーム部材を直接押圧し、ロック位置からアンロック位置へ移動させてもよい。
【００７９】
また、ロック機構３０はホルダ５１の一方側の側壁部５１ａに配置されたが、これに限られず、他方側の側壁部５１ｂ側に配置されてもよいし、あるいは、各々の側壁部５１ａ，５１ｂ側にそれぞれ配置されてもよい。
【００８０】
なお、本技術は以下のような構成も採ることができる。
（１）外周面に接続端子と係合部とを有する記憶媒体が第１の方向に挿入される挿入口を有する筐体と、
前記挿入口の内部に配置され、前記接続端子と嵌合可能な端子電極と、
前記係合部と係合することで前記第１の方向とは反対側の第２の方向への前記記憶媒体の移動を規制するロック位置と、前記係合部との係合を解除するアンロック位置との間を移動可能なアーム部材を有し、前記挿入口と前記端子電極との間に配置されたロック機構と、
前記接続端子が前記端子電極に前記第１の方向へ第１の嵌合長で嵌合する第１の位置において前記記憶媒体との電気的導通を検出する第１の検出機構と、前記接続端子が前記端子電極に前記第１の嵌合長よりも大きい第２の嵌合長で嵌合する第２の位置において前記記憶媒体との機械的接触を検出する第２の検出機構と、前記第１の検出機構による前記記憶媒体との電気的導通と前記第２の検出機構による前記記憶媒体との機械的接触とを検出したときに前記アーム部材を前記アンロック位置から前記ロック位置へ移動させる駆動機構と、を有する制御ユニットと、
を具備する電子機器。
（２）上記（１）に記載の電子機器であって、
前記第２の検出機構は、
前記挿入口の内部に配置されたスイッチ素子と、
前記挿入口と前記スイッチ素子との間に配置され、前記第１の位置から前記第２の位置への前記記憶媒体の移動に連動して前記スイッチ素子を作動させる作動部材と、を有する
電子機器。
（３）上記（１）又は（２）に記載の電子機器であって、
前記アーム部材は、前記第１の位置と前記第２の位置との間で前記係合部と係合可能に構成される
電子機器。
（４）上記（１）から（３）のいずれか１つに記載の電子機器であって、
前記制御ユニットは、前記第１の検出機構を介して前記記憶媒体の種別を判定し、前記種別が対象外である場合には前記アーム部材を前記ロック位置へ移動させないように構成される
電子機器。
（５）上記（１）から（４）のいずれか１つに記載の電子機器であって、
前記筐体に取り付けられ、前記第２の方向に前記記憶媒体を前記挿入口から排出するための第１のボタンをさらに具備し、
前記制御ユニットは、前記第１のボタンへの入力操作に基づいて、前記アーム部材を前記ロック位置から前記アンロック位置へ移動させる
電子機器。
（６）上記（１）から（５）のいずれか１つに記載の電子機器であって、
前記筐体に取り付けられ、押圧操作によって前記アーム部材を前記ロック位置から前記アンロック位置へ機械的に移動させる第２のボタンをさらに具備する
電子機器。
【符号の説明】
【００８１】
１…電子機器
１０…筐体
１１…挿入口
１３…アンロックボタン
１４…エマージェンシボタン
２０…端子電極
２１…スイッチ素子
２２…作動部材
３０…ロック機構
４０…制御ユニット
４１…コントローラ
４２…駆動部
３０１…アーム部材
４２３…モータ
Ｍ…記憶媒体
Ｍ１…係合部
Ｍ２…接続端子
【図１】
2013200584.tif 000003
【図２】
2013200584.tif 000004
【図３】
2013200584.tif 000005
【図４】
2013200584.tif 000006
【図５】
2013200584.tif 000007
【図６】
2013200584.tif 000008
【図７】
2013200584.tif 000009
【図８】
2013200584.tif 000010
【図９】
2013200584.tif 000011
【図１０】
2013200584.tif 000012
【図１１】
2013200584.tif 000013
【図１２】
2013200584.tif 000014
【図１３】
2013200584.tif 000015